【手続補正書】
【提出日】平成17年2月8日(2005.2.8)
【手続補正１】
【補正対象書類名】明細書
【補正対象項目名】特許請求の範囲
【補正方法】変更
【補正の内容】
【特許請求の範囲】
【請求項１】
前部に位置するキャビンおよび前後方向に延びるフレームを有した車両と、前記フレームの前部および後部に設けられたそれぞれ左右一対の前輪および後輪とを有するとともに、前記フレームの左右側面における前記前輪および後輪の間の空間の少なくとも一方の空間内に燃料タンク等の機器類が装着されて構成される作業用車両であって、
下方伸縮自在な前ジャッキと、
前記フレームの前記前輪の近傍に取り付けられるとともに前記前ジャッキを前記車両左右方向に移動可能な前ジャッキ移動手段とを有して構成され、
前記前ジャッキ移動手段の移動により、前記前ジャッキは縮小状態で前記機器類の上方に位置する前ジャッキ格納位置と前記機器類より前記車両左右方向の外側に位置する前ジャッキ張出位置との間を移動可能であることを特徴とする作業用車両。
【請求項２】
前記前ジャッキ移動手段が、前記フレームに固設された前側支持部と、前記前側支持部に枢結されて水平に回動可能な前側水平アームとからなり、前記前側水平アームの先端に前記前ジャッキが取り付けられており、
前記前側水平アームの水平回動により前記前ジャッキが前記前ジャッキ格納位置と前記前ジャッキ張出位置との間を移動するように構成されており、
前記前ジャッキ張出位置は平面視において前記前側水平アームの回動中心位置よりも前記車両前後方向の前方側に位置することを特徴とする請求項１に記載の作業用車両。
【請求項３】
下方伸縮自在な後ジャッキと、
前記フレームの前記後輪の近傍に取り付けられるとともに前記後ジャッキを前記車両左右方向に移動可能な後ジャッキ移動手段とを有して構成され、
前記後ジャッキ移動手段が、前記フレームに固設された後側支持部と、前記後側支持部に枢結されて水平に回動可能な後側水平アームとからなり、前記後側水平アームの先端に前記後ジャッキが取り付けられており、
前記後側水平アームの水平回動により前記後ジャッキが前記車両左右方向における車両内側に位置する後ジャッキ格納位置と車両外側に位置する後ジャッキ張出位置との間を移動するように構成されており、
前記後ジャッキ張出位置は平面視において前記後側水平アームの回動中心位置よりも前記車両前後方向の後方側に位置することを特徴とする請求項１または２に記載の作業用車両。
【手続補正２】
【補正対象書類名】明細書
【補正対象項目名】００１０
【補正方法】変更
【補正の内容】
【００１０】
【課題を解決するための手段】
前記課題を解決するために本発明の作業用車両は、前部に位置するキャビンおよび前後方向に延びるフレームを有した車両と、フレームの前部および後部に設けられたそれぞれ左右一対の前輪および後輪とを有するとともに、フレームの左右側面における前輪および後輪の間の空間の少なくとも一方の空間内に燃料タンク等の機器類（例えば、実施形態における燃料ガスタンク１５、バッテリＢ）が装着されて構成される作業用車両（例えば、実施形態におけるトラック車両３）であって、下方伸縮自在な前ジャッキ（例えば、実施形態における前ジャッキ４０）と、フレームの前輪の近傍に取り付けられるとともに前ジャッキを車両左右方向に移動可能な前ジャッキ移動手段（例えば、実施形態におけるリンク部材等５０）とを有して構成され、前ジャッキ移動手段の移動により、前ジャッキは縮小状態で機器類の上方に位置する前ジャッキ格納位置と機器類より車両左右方向の外側に位置する前ジャッキ張出位置との間を移動可能に伸縮可能に構成する。

【手続補正３】
【補正対象書類名】明細書
【補正対象項目名】００１１
【補正方法】変更
【補正の内容】
【００１１】
上記構成の作業用車両によれば、前ジャッキが車両に格納された状態から張出位置に移動させるには、縮小状態で格納位置にある前ジャッキを張出位置側へ前ジャッキ移動手段により移動させる。ここで、格納位置にある前ジャッキは機器類よりも上方位置に配設され、且つ張出位置まで機器類よりも上方位置を移動するので、前ジャッキが機器類に接触する虞はない。このため、機器類の大きさが大きくなって機器類よりも車両前側にジャッキを設置する場所が無くても、前ジャッキを機器類よりも上方の位置に配設することで、車両前側に前ジャッキを取り付けることができる。その結果、機器類の大きさを小さくしたり他の場所に移設しなくてもよいので、機器類の大きさを小さくすることによる車両の商品価値の低下を防止することができ、機器類を移設することにより発生する新たな作業を無くすことができる。
【手続補正４】
【補正対象書類名】明細書
【補正対象項目名】００１２
【補正方法】変更
【補正の内容】
【００１２】
また、上記構成の作業用車両において、前ジャッキ移動手段が、フレームに固設された前側支持部と、前側支持部に枢結されて水平に回動可能な前側水平アームとからなるようにし、前側水平アームの先端に前ジャッキを取り付けて、前側水平アームの水平回動により前ジャッキが格納位置と張出位置との間を旋回移動するように構成し、前ジャッキ張出位置は平面視において前側水平アームの回動中心位置よりも車両前後方向の前方側に位置するようにしてもよい。
【手続補正５】
【補正対象書類名】明細書
【補正対象項目名】００１３
【補正方法】変更
【補正の内容】
【００１３】
上記構成の作業用車両によれば、格納位置にある前ジャッキは、前ジャッキ移動手段の作動により、前側水平アームを介して縮小状態のままで格納位置から張出位置に旋回移動する。そして、前ジャッキが下方へ伸長動すると、前ジャッキの下端が接地して車両を持ち上げ支持する。その結果、前ジャッキは張出位置から下方へ伸長動して地面に接地するので、前ジャッキの先端が地面から受ける接地反力は地面と垂直な方向成分のみを有する力である。このため、前ジャッキの先端が地面上をずれることはなく、ずれによる車両の揺れを防止でき、地面を傷つける虞もない。また、ジャッキを張出位置から下方へ伸長動させて車両を支持させる際に、車両の前側に取り付けられた前ジャッキの下端は平面視において前側水平アームの回動中心位置よりも車両の前側に接地する。この結果、前ジャッキの張出位置が車両の前後方向において前側水平アームの回動中心位置と同位置にある車両と比較して、車両の前側に取り付けられた前ジャッキの接地位置と車両の後側に取り付けられた後ジャッキの接地位置との距離を大きくすることができ、車両の前後方向の安定支持をより増加させることができる。
【手続補正６】
【補正対象書類名】明細書
【補正対象項目名】００１４
【補正方法】変更
【補正の内容】
【００１４】
また、上記構成の構成の作業用車両において、下方伸縮自在な後ジャッキと、フレームの後輪の近傍に取り付けられるとともに後ジャッキを車両左右方向に移動可能な後ジャッキ移動手段とをさらに備え、後ジャッキ移動手段が、フレームに固設された後側支持部と、後側支持部に枢結されて水平に回動可能な後側水平アームとからなり、後側水平アームの先端に後ジャッキが取り付けられており、後側水平アームの水平回動により後ジャッキが車両左右方向における車両内側に位置する後ジャッキ格納位置と車両外側に位置する後ジャッキ張出位置との間を移動するように構成し、後ジャッキ張出位置が平面視において後側水平アームの回動中心位置よりも車両前後方向の後方側に位置するように構成してもよい。
【手続補正７】
【補正対象書類名】明細書
【補正対象項目名】００１５
【補正方法】変更
【補正の内容】
【００１５】
上記構成の作業用車両によれば、ジャッキを張出位置から下方へ伸長動させて車両を支持させる際に、車両の後側に取り付けられた後ジャッキの下端は平面視において後側水平アームの回動中心位置よりも車両の後側に接地する。この結果、前ジャッキおよび後ジャッキの張出位置が車両の前後方向において前側水平アームおよび後側水平アームの回動中心位置とそれぞれ同位置にある車両と比較して、車両の前側に取り付けられた前ジャッキの接地位置と車両の後側に取り付けられた後ジャッキの接地位置との距離をより大きくすることができ、車両の前後方向の安定支持をより増加させることができる。
【手続補正８】
【補正対象書類名】明細書
【補正対象項目名】００３８
【補正方法】変更
【補正の内容】
【００３８】
【発明の効果】
以上説明したように、本発明における作業用車両によれば、前後方向に延びるフレームの左右方向における少なくとも一方の側面に燃料タンク等の機器類を装着し、機器類よりも上方で且つ車両の左右方向内側の格納位置と車両の左右方向外側の張出位置間を移動自在であって、縮小状態で格納位置に移動可能で張出位置において下方に伸長可能となるジャッキを車両（フレーム）に取り付けることで、機器類の大きさが大きくなって機器類よりも車両前側にジャッキを設置する場所が無くても、ジャッキを機器類よりも上方位置に配設することで、車両前側にジャッキを取り付けることができる。その結果、機器類の大きさを小さくしたり他の場所に移設しなくてもよく、機器類の大きさを小さくすることによる車両の商品価値の低下を防止することができ、機器類を移設することにより発生する新たな作業を無くすことができる。
【手続補正９】
【補正対象書類名】図面
【補正対象項目名】図１
【補正方法】変更
【補正の内容】
【図１】
2002255015.tif 000001
【手続補正１０】
【補正対象書類名】図面
【補正対象項目名】図２
【補正方法】変更
【補正の内容】
【図２】
2002255015.tif 000002